(57)【要約】【課題】不慣れな人でも、あるいは液滴での容量管理を行ってきた利用者でも正確な摂取量が判り易いスポイト瓶を提供する。【解決手段】容器本体と、該容器本体を密閉可能で着脱自在なスポイト機能を有するスポイトキャップ部とを有するスポイト瓶であり、該スポイトキャップ部が、スポイト瓶が密閉されたときの内部と外部とを連通する連通孔が設けられた穴あきキャップ部、該穴あきキャップ部の連通孔に装着され、外部となる位置に操作部を有し、かつ、該操作部の内部に連通孔装着基部に設けられたスポイト本体部装着孔に連通する空洞があるスポイトゴム部、及び、該スポイトゴム部の本体部装着孔に連通孔装着基部が装着され、かつ、先端付近が先端に向かって細くなる透明素材から構成された円筒形状のスポイト本体部を備え、スポイト本体部側面に先端を基準として、スポイト瓶に内容させる目的の液体の滴数に応じた滴数該当目盛及び数字が付されたスポイト瓶。【選択図】図１
2005187028.tif 000002
【特許請求の範囲】
【請求項１】
液体を内容可能な容器本体と、該容器本体を密閉可能で着脱自在なスポイト機能を有するスポイトキャップ部とを有するスポイト瓶であって、該スポイトキャップ部が、
スポイトキャップ部によって該スポイト瓶が密閉されたときの内部と外部とを連通する連通孔が設けられた穴あきキャップ部、
該穴あきキャップ部の連通孔に装着され、スポイト瓶がスポイトキャップ部によって密閉されたときの外部となる位置に操作部を有し、かつ、該操作部の内部に連通孔装着基部に設けられたスポイト本体部装着孔に連通する空洞を有するスポイトゴム部、及び、
該スポイトゴム部の本体部装着孔に連通孔装着基部が装着され、かつ、先端付近が先端に向かって細くなる透明素材から構成された円筒形状のスポイト本体部を備え、
該スポイト本体部側面に先端を基準として、該スポイト瓶に内容させる目的の液体の滴数に応じた滴数該当目盛及び数字が付してあることを特徴とするスポイト瓶。
【請求項２】
上記円筒形状のスポイト本体部の先端付近が曲げられており、該スポイト本体部の先端が該円筒の軸上からはずれた位置にあることを特徴とする請求項１に記載のスポイト瓶。
【請求項３】
上記滴数該当目盛がスポイト本体部の先端の円筒形状のスポイト本体部の軸上からの変位位置を基準として定める位置に付してあることを特徴とする請求項２に記載のスポイト瓶。
【請求項４】
上記滴数該当目盛に隣接して１ｍL毎及び／または０．５ｍL毎の目盛、及び、数字が付してあることを特徴とする請求項１または請求項３に記載のスポイト瓶。
【請求項５】
上記スポイトゴム部にガスバリア性を有するガスバリア層が設けてあることを特徴とする請求項１ないし請求項４のいずれかに記載のスポイト瓶。
【発明の詳細な説明】
【技術分野】
【０００１】
本発明は、キャップ部にスポイトがセットされた液体用のスポイト瓶に関する。
【背景技術】
【０００２】
最近の健康ブームや自然派志向により、さまざまな天然健康食品が注目されている。これら天然健康食品の中でも、ミツバチによって作り出される天然の抗生物質、あるいは、天然の細胞活性化物質とも云われるプロポリスは、健康増進、体質改善に供するものとして、あるいは、高い抗ガン効果が期待されるものとして特に注目されている。
【０００３】
このようなプロポリスはエタノール他の適当な溶媒に混合してスポイトにより滴下可能な液（プロポリス液）として供給され、例えば、健康維持目的ではその液の２０〜３０滴を適量の水、湯、牛乳、コーヒー、紅茶、ジュース、蜂蜜、ドリンク剤あるいは酒類などの飲料に滴下して朝、昼、及び、晩の一日３回経口摂取し、あるいは、体調を崩したときには朝、昼、晩、及び、就寝前の一日４回、５０〜１００滴をやはり上記飲料に滴下して経口摂取するとされている。
【０００４】
このような方法での摂取に適した、比較的少量で高い効果が得られるプロポリス等の液体の容器として、図４に示すような、スポイトがキャップ部にセットされたスポイト瓶（以下「スポイト瓶β」）が実用新案登録第３０６９５３３号公報により提案されている。
【０００５】
このスポイト瓶βについて、図４〜５を用いて説明する。図４はスポイト瓶βの断面図、図５はそのスポイト部が付属したスポイト付きキャップの分解説明図、図６はこのスポイト瓶βならではの効果を示す使用状態での断面図である。
【０００６】
スポイト瓶βは容器本体Ａ、スポイトキャップ部Ｂ’、及び、オーバーキャップＣとからなる。
【０００７】
容器本体Ａは通常のねじ口瓶と同様のもので、液体を内容可能である。一方、スポイトキャップ部Ｂ’は容器本体Ａを密閉可能な着脱自在なキャップであって、スポイト機能を有する。このスポイトキャップ部Ｂ’は、穴あきキャップ部１、スポイトゴム部２’及びスポイト本体部３’を備える。
【０００８】
穴あきキャップ部１には、スポイトキャップ部Ａによってスポイト瓶βが密閉されたときの内部と外部とを連通する連通孔１ａが設けられている。なお、この例では穴あきキャップ部１内側面の雌ねじ１ｂ及び容器本体Ａの開口部周辺に設けられた雄ねじＡ３とが螺合してスポイト瓶βが密閉される。
【０００９】
また、スポイトゴム部２’はその連通孔装着基部２ａ’によって穴あきキャップ部１の連通孔１ａに装着されるが、スポイト瓶βがスポイトキャップ部Ａによって密閉されたときの外部となる位置に操作部２ｂ’を有し、かつ、この操作部２ｂ’の内部には連通孔装着基部２ａ’に設けられたスポイト本体部装着孔２ｃ’に連通する空洞２ｄ’を有する。
【００１０】
スポイト本体部３’は、スポイトゴム部２’のスポイト本体部装着孔２ｃ’にその基部３ａ’が装着され、かつ、その先端付近が先端３ｂ’に向かって細くなる、ガラスあるいはプラスチックの透明素材から構成された円筒形状の部材である。さらにスポイト本体部３’の側面にはその先端部３ｂ’を基点として、液体を吸引したときの内容量が判るように、例えば０．５ｍＬ毎に目盛３ｃと’容量を示す数字３ｄ’とが付されている。
【００１１】
このようなスポイト瓶βは、例えば、操作者がスポイトゴム部２’の操作部２ｂ’を指で押圧することにより、スポイトゴム部２の内部の空洞２ｄ’内の空気を排出し、次いでスポイト本体部３’の先端３ｂ’を容器本体Ａに内容されるプロポリス液などの液体Ｄ内に挿入した後、スポイトゴム部２’の操作部２ｂ’の押圧を徐々に解除することによりスポイト本体部３’内部に液体を吸引し、スポイト本体部３’内部に吸引された液体の液面がスポイト本体部３’側面の所定の目盛位置に到達したときにスポイト本体部３’の先端３ｂ’を容器本体Ａから取り出し、その後、スポイト本体部３’の先端３ｂ’を目的の容器などに挿入して、再度スポイトゴム部２’の操作部２ｂ’を指で押圧することにより所定の容量の液体を取り出すことができるように設計されている。
【００１２】
なお、このスポイト瓶βには未使用時や運搬時に不用意にスポイトゴム２’の操作部２ｂ’が押圧されないようにスポイトゴム２’の操作部２ｂ’を保護するドーム部Ｃ１を有するオーバーキャップＣが付属している。オーバーキャップＣの基部Ｃ２は穴あきキャップ部１の外周に嵌合し、オーバーキャップＣの基部Ｃ２には内側にはオーバーキャップＣがスポイトキャップ部Ｂ’から不用意にはずれないようにするための、図中上下方向に平行な突条Ｃ３が複数設けられている。
【００１３】
さらに、このスポイト瓶に内容された液体を使用する場合に容器本体Ａからスポイトキャップ部Ｂ’をはずす際の、スポイトキャップ部Ｂ’の回転が容易となるように、穴あきキャップ部１外周には図中上下方向に沿って細かい溝が多数設けられているので、オーバーキャップＣの基部Ｃ１内側とねじキャップ部１の外周とは密接していない。
【００１４】
このような実用新案登録第３０６９５３３号公報に係るスポイト瓶での特記すべき点は、先端付近で先端３ｂに向かって細くなる円筒形状のスポイト本体部３において、一般的なスポイトとは異なり、上記円筒形状のスポイト本体部３の先端付近が曲げられており（図５での角度θ）、スポイト本体部３の先端３ｂがスポイト本体部の円筒の軸上からはずれた位置（オフセットされた位置）にあることである。
【００１５】
ここで、一般的に自然健康食品は高価である。とりわけ、プロポリス、特に原料自体から吟味し、健康維持・増進に有効とされる成分が一般的なプロポリスに比較して多い準医薬品レベルの高品質なプロポリスはわずかな量と云っても無駄にはできない。
【００１６】
しかしながら、スポイト瓶ではスポイト本体部３の長さは、その構造上、当然、スポイトキャップ部Ｂ’によって密栓したときに容器本体Ａの底部Ａ１に達しない長さであることが求められ、容器本体Ａ内の液量が少なくなると容器本体Ａに内容液を有効に吸引することができない。
【００１７】
しかしながら、本発明者によるこの実用新案登録第３０６９５３３号公報に係るスポイト瓶βでは上記のようにスポイト本体部３の先端部３ｂがスポイト本体部３の軸に対して曲がった位置に設けられているので、内容液が少量となったときには図６に示すように容器本体Ａを横に倒し、その内側面Ａ２の最下部に残液（そのときの液面は符号Ｄ”で示される）を集めることにより、有効に吸引することができる。
【特許文献１】実用新案登録第３０６９５３３号公報
【発明の開示】
【発明が解決しようとする課題】
【００１８】
上記のような画期的な効果を有する実用新案登録第３０６９５３３号公報に係るスポイト瓶であったが、実際の使用に供すると様々な問題が生じた。
【００１９】
上記のように０．５ｍＬ単位の目盛りが付いたスポイト瓶が実際の実用に供されるようになったのはここ数年来のことであり、現在の説明書等には１ｍＬと滴数との換算方法が記載（例えば「１ｃｃは約４０滴です」）されているにも拘わらず、特に高齢者などの場合、スポイト本体部に示されたｃｃあるいはｍＬをベースとした目盛りと滴下数との関連が理解できず、そのため現在でも従来から行われてきた実際の滴下滴数での容量管理が依然として多く行われているのが現状である。しかも、そのとき、３０滴、５０滴あるいは１００滴等の多数滴の計数が煩わしくあるいは数えまちがい等により、所定の量より少なく、あるいは、多く、不適切な量の摂取となりやすく、摂取の効果が充分に得られない、高品質なプロポリスのような高価な液体が有効利用されない、あるいは、飲み過ぎによる不都合の発生等の障害が生じる。
【００２０】
このような滴数での容量管理を行う利用者の中にはスポイトの取り扱いに慣れていない人が多く、スポイトゴム部を指で押圧して液滴をたらすのではなく、ゴム部を指で叩いて滴下させるので、液滴の大きさが安定せず、同様に不適切な量の摂取となりやすい。
【００２１】
さらにスポイト本体部の形状、製作上の誤差による口径の精度、あるいは、内容液の滴下時の温度、速度等の条件によっても１滴当たりの容量が所期のものとならないおそれがある。
【００２２】
このように、ここ数年以前からの利用者にも正確な摂取量が測りやすいスポイト瓶が求められていた。
【００２３】
本発明は、上記した従来の問題点を改善する、すなわち、不慣れな人でも、あるいは長い期間、液滴での容量管理を行ってきた利用者でも正確な摂取量が判りやすいスポイト瓶を提供することを目的とする。
【課題を解決するための手段】
【００２４】
本発明のスポイト瓶は上記課題を解決するため、請求項１に記載の通り、液体を内容可能な容器本体Ａと、該容器本体Ａを密閉可能で着脱自在なスポイト機能を有するスポイトキャップ部とを有するスポイト瓶であって、該スポイトキャップ部が、スポイトキャップ部によって該スポイト瓶が密閉されたときの内部と外部とを連通する連通孔が設けられた穴あきキャップ部、該穴あきキャップ部の連通孔に装着され、スポイト瓶がスポイトキャップ部によって密閉されたときの外部となる位置に操作部を有し、かつ、該操作部の内部に連通孔装着基部に設けられたスポイト本体部装着孔に連通する空洞を有するスポイトゴム部、及び、該スポイトゴム部の本体部装着孔に連通孔装着基部が装着され、かつ、先端付近が先端に向かって細くなる透明素材から構成された円筒形状のスポイト本体部を備え、該スポイト本体部側面に先端を基準として、該スポイト瓶に内容させる目的の液体の滴数に応じた滴数該当目盛及び数字が付してあるスポイト瓶である。
【発明の効果】
【００２５】
本発明のスポイト瓶によると上記特有の構成により、従来、摂取時にミリリットルと液滴数との関連を換算式を用いて行っていた換算が不要となると共に、スポイト本体の先端の加工精度によらず、本来の所期した容量を確実に摂取することが可能となり、また、液滴該当目盛及び数字の明示により従来操作部を指で叩くことにより液を滴下する誤った操作を行っていた操作者にも正確な操作が理解できるようになる。
【発明を実施するための最良の形態】
【００２６】
以下、本発明に係るスポイト瓶の一例αについて図１〜３を用いて説明する。図１はスポイト瓶αの断面図、図２はそのスポイト部が付属したスポイト付きキャップの分解説明図、図３はこのスポイト瓶αならではの効果を示す使用状態での断面図である（断面図においてスポイト本体部３については、説明のために部分的に側面図にしてある）。
【００２７】
なお、以下の説明における符号は従来技術に係るスポイト瓶βと同じ部材の場合には同じ符号を用いた。
【００２８】
スポイト瓶αは容器本体Ａ、スポイトキャップ部Ｂ、及び、オーバーキャップＣとからなる。
【００２９】
容器本体Ａは通常のねじ口瓶と同様のもので、液体を内容可能である。一方、スポイトキャップ部Ｂは容器本体Ａを密閉可能な着脱自在なキャップであって、スポイト機能を有する。このスポイトキャップ部Ｂは、穴あきキャップ部１、スポイトゴム部２及びスポイト本体部３を備える。
【００３０】
穴あきキャップ部１には、スポイトキャップ部Ｂによってスポイト瓶αが密閉されたときの内部と外部とを連通する連通孔１ａが設けられている。なお、この例では穴あきキャップ部１内側面の雌ねじ１ｂ及び容器本体Ａの開口部周辺に設けられた雄ねじＡ３とが螺合してスポイト瓶αが密閉される。
【００３１】
また、スポイトゴム部２はその連通孔装着基部２ａによって穴あきキャップ部１の連通孔１ａに装着されるが、スポイト瓶αがスポイトキャップ部Ｂによって密閉されたときの外部となる位置に操作部２ｂを有し、かつ、この操作部２ｂの内部には連通孔装着基部２ａに設けられたスポイト本体部装着孔２ｃに連通する空洞２ｄを有する。
【００３２】
スポイト本体部３は、スポイトゴム部２のスポイト本体部装着孔２ｃにその基部３ａが装着され、かつ、その先端付近が先端３ｂに向かって細くなる、ガラスあるいはプラスチックの透明素材から構成された円筒形状の部材である。さらにスポイト本体部３の側面にはその先端部３ｂを基点として、液体を吸引したときの内容量が判るように、０．５ｍＬ毎に目盛３ｃと容量を示す数字３ｄとが付されているとともに、滴数該当目盛３ｅ及び滴数該当数字３ｆが付されている。この例ではこれら数字及び目盛はすべて白で印刷してあるが、滴数該当目盛３ｅ及び滴数該当数字３ｆと、目盛３ｃ及び容量を示す数字３ｄとを異なる色で印刷することもでき、そのときには両者の意味上の違いはより明快になる。
【００３３】
なお、この例αでの滴数該当目盛３ｅ及び滴数該当数字３ｆはこの容器αの内容目的液であるプロポリス液（プロポリス抽出成分とエタノールその他の溶剤との混合物）での標準的な大きさの液滴の容量に応じて付されている。
【００３４】
なお、この例のように０．５ｍＬ毎ないし１ｍＬ毎の目盛及び容量を示す数字と滴数該当目盛及び数字とが併記されていることにより、液滴数により摂取していた人と換算式によって容量から滴数を換算して摂取していた人との両者に、全く混乱なく受け入れられることができる。
【００３５】
この例αのスポイト本体部３はその先端３ｂ付近が曲げられており、スポイト本体部３の先端３ｂがその円筒の軸上からはずれた位置（オフセット位置）にあるので、上記従来技術に係るスポイト瓶βのスポイト本体部３’による図６を用いて説明された、残液量が少量となっても有効に利用することができる効果がこの例αでも同様に得られる。
【００３６】
さらに、この例αのスポイト本体部３は滴数該当目盛がスポイト本体部の先端の円筒形状のスポイト本体部の軸上からの変位位置を基準として定める位置に付してある。すなわち、図３に示すようにスポイト本体部３のその先端３ｂが下方を向くように操作部２ｂを右手の指で保持したときに目盛及び数字は操作者側となる。そのため操作者はこのスポイト本体部３に吸引された液の容量あるいは液滴数を容易に理解することができる。この例では右手での操作を行う場合について示したが、左手での操作を前提にする場合には円筒状のスポイト本体部３の反対側側面にこれら目盛及び数字を示しても良い。
【００３７】
このようなスポイト瓶αは、例えば、操作者がスポイトゴム部２の操作部２を指で押圧することにより、スポイトゴム部２の内部の空洞２ｄ内の空気を排出し、次いでスポイト本体部３の先端３ｂを容器本体Ａに内容されるプロポリス液などの液体Ｄ内に挿入した後、スポイトゴム部２の操作部２ｂの押圧を徐々に解除することによりスポイト本体部３内部に液体を吸引し、スポイト本体部３内部に吸引された液体の液面がスポイト本体部３側面の所定の目盛位置に到達したときにスポイト本体部３の先端３ｂを容器本体Ａから取り出し、その後、スポイト本体部３の先端３ｂを目的の容器などに挿入して、再度スポイトゴム部２の操作部２ｂを指で押圧することにより所定の容量の液体を取り出すことができるように設計されている。
【００３８】
なお、このスポイト瓶αには未使用時や運搬時に不用意にスポイトゴム２の操作部２ｂが押圧されないようにスポイトゴム２の操作部２ｂを保護するドーム部Ｃ１を有するオーバーキャップＣが付属している。オーバーキャップＣの基部Ｃ２は穴あきキャップ部１の外周に嵌合し、オーバーキャップＣの基部Ｃ２には内側にはオーバーキャップＣがスポイトキャップ部Ｂから不用意にはずれないようにするための、図中上下方向に平行な突条Ｃ３が複数設けられている。
【００３９】
さらに、このスポイト瓶αに内容された液体を使用する場合に容器本体Ａからスポイトキャップ部Ｂをはずす際の、スポイトキャップ部Ｂの回転が容易となるように、穴あきキャップ部１外周には図中上下方向に沿って細かい溝が多数設けられているので、オーバーキャップＣの基部Ｃ１内側とキャップ部１の外周とは密接していない。
【００４０】
ここで、一般にスポイト瓶βのスポイトゴム部２’は天然ゴム（他にニトリルゴムが用いることができる）からなるゴム質材であるため、ガスバリア性に乏しい。
【００４１】
すなわち、エタノールを溶剤として有するプロポリス液を約２０ｍｌ（標準的な充填量）を内容させたスポイト瓶βを３５℃で保持したところ９日間で０．２５ｇの減量が認められた。この減量は半年換算で５ｇ以上となり、プロポリス液の品質保持や適正摂取量の保持が困難になるおそれがあることが判る。
【００４２】
なお、スポイト瓶αではそのスポイトキャップ部２の外側に、スポイトキャップ部のゴム質材に比べて、エタノールの透過性に乏しいガスバリア層を設けることが望ましく、上記スポイト瓶αではそのスポイトゴム部２の外側に、パラキシリレン樹脂による化学蒸着法によるコーティングからなるガスバリア層（岸本産業社のコンフォーマルコーティング剤によるＣＶＤコーティングである。）が設けてあり、上記減量を殆ど解消することができる。
【００４３】
さらに、このガスバリア層を形成する樹脂層は主として操作者の指の汚れに起因する汚れに対してゴム質材よりも強いので操作部が汚れにくく、清潔に保たれるという副次効果も得られる。
【産業上の利用可能性】
【００４４】
本発明に係るスポイト瓶は、プロポリス液をはじめとする液状の天然健康食品の容器として、あるいは、液体の滴下の液滴数で管理を行う医薬や理化学薬品の容器として好適に用い得ることができる。
【図面の簡単な説明】
【００４５】
【図１】本発明に係るスポイト瓶αの断面図である。
【図２】本発明に係るスポイト瓶αのスポイト部が付属したスポイト付きキャップの分解説明図である
【図３】スポイト瓶αならではの効果を示す使用状態での断面図である。
【図４】従来技術に係るスポイト瓶βの断面図である。
【図５】従来技術に係るスポイト瓶βのスポイト部が付属したスポイト付きキャップの分解説明図である
【図６】スポイト瓶βならではの効果を示す使用状態での断面図である。
【符号の説明】
【００４６】
α  本発明に係るスポイト瓶
β  従来技術に係るスポイト瓶
Ａ  容器本体
Ａ３  雄ねじ
Ｂ  スポイトキャップ部
Ｃ  オーバーキャップ
Ｃ１  ドーム部
Ｃ２  基部
Ｃ３  突条
１  穴あきキャップ部
１ａ  連通孔
１ｂ  雌ねじ
２  スポイトゴム部
２ａ  連通孔装着基部
２ｂ  操作部
２ｃ  スポイト本体部装着孔
２ｄ  空洞
３  スポイト本体部
３ａ  基部
３ｂ  先端
３ｃ  ０．５ｍＬ毎の目盛
３ｄ  容量を示す数字
３ｅ  滴数該当目盛
３ｆ  滴数該当数字
【図１】
2005187028.tif 000003
【図２】
2005187028.tif 000004
【図３】
2005187028.tif 000005
【図４】
2005187028.tif 000006
【図５】
2005187028.tif 000007
【図６】
2005187028.tif 000008